(57)【要約】【課題】核酸の塩基配列等を解析するための装置において、溶液の処理量を少なくし、また構造を簡易化する。【解決手段】処理プレート１２上には基幹流路１４に対して交差するように４つの溶液流路１８が形成されている。４つの溶液流路１８に対してそれぞれの所定の溶液を満たした上で、導入口１４Ａから洗浄液(バッファー液)を送り込めば、４つの交差点に存在する４つの溶液層がＸ方向の下流側に送り出される。これを繰り返せば、反応処理部に２２に存在する核酸に対して循環的に溶液処理を行うことが可能となる。溶液処理によって生じた遊離基は光学的に検出される。【選択図】図１
2008286665.tif 000002
【特許請求の範囲】
【請求項１】
少なくとも１つの基幹流路で構成され、上流側から下流側にかけて、溶液層配列生成部位、反応処理対象を有する反応処理部位及び測定部位が設定された第１流路構造と、前記第１流路構造における溶液層配列生成部位を横切る複数の溶液流路で構成される第２流路構造と、を有する構造体と、
前記第１流路構造を構成する少なくとも１つの基幹流路の上流端部から洗浄液を導入する洗浄液供給手段と、
前記第２流路構造を構成する複数の溶液流路の上流端部から複数の溶液を個別的に導入する溶液供給手段と、
前記測定部位に設けられ、反応処理結果を測定する測定手段と、
を含み、
前記溶液層配列生成部位では、前記複数の溶液及び前記洗浄液の交互供給によって溶液層配列が生成され、前記反応処理部位では、前記溶液層配列によって前記反応処理対象に対する反応処理が間欠的に実行され、前記測定部位では、各溶液による反応処理結果が測定される、ことを特徴とする反応処理装置。
【請求項２】
請求項１記載の装置において、
前記溶液層配列は、所定順序で循環的に並んだ複数の溶液層と個々の溶液層間に挿入された複数の洗浄層とで構成される、ことを特徴とする反応処理装置。
【請求項３】
請求項２記載の装置において、
前記処理対象は塩基配列解析対象となる核酸であり、前記複数の溶液は塩基配列を解析するためのものである、ことを特徴とする反応処理装置。
【請求項４】
請求項１〜３のいずれか１項に記載の装置において、
前記洗浄液供給手段及び前記溶液供給手段を制御する手段であって、前記洗浄液の供給と前記複数の溶液の供給とを交互に繰り返すことによって前記溶液層配列を生成する制御手段を含む、ことを特徴とする反応処理装置。
【請求項５】
請求項１〜４のいずれか１項に記載の装置において、
前記第１流路構造は並列的に設けられた複数の基幹流路で構成され、
前記溶液層配列生成部位は前記複数の基幹流路に対して前記複数の溶液流路が交差した部位である、ことを特徴とする反応処理装置。
【請求項６】
請求項１〜５のいずれか１項に記載の装置において、
前記溶液層配列生成部位における前記複数の溶液流路についてのピッチが前記溶液層配列における複数の溶液層のピッチを規定する、ことを特徴とする反応処理装置。
【請求項７】
請求項１〜６のいずれか１項に記載の装置において、
前記反応処理部位には、前記処理対象としての核酸が付着された部材を含みつつ当該部材の流下を防止する構造が形成された、ことを特徴とする反応処理装置。
【請求項８】
処理対象としての核酸を複数の溶液で処理する場合に利用される構造体であって、
少なくとも１つの基幹流路で構成され、上流側から下流側にかけて、溶液層配列生成部位、反応処理対象を有する反応処理部位及び測定部位が設定された第１流路構造と、
前記第１流路構造における溶液層配列生成部位を横切る複数の溶液流路で構成される第２流路構造と、
を有し、
前記第１流路構造を構成する少なくとも１つの基幹流路の上流端部から洗浄液が導入され、
前記第２流路構造を構成する複数の溶液流路の上流端部から複数の溶液が個別的に導入され、
前記溶液層配列生成部位では、前記洗浄液の導入及び前記複数の溶液の導入が交互に繰り返され、これにより循環的に並んだ複数の溶液層と個々の溶液層間に挿入された複数の洗浄層とで構成される溶液層配列が生成され、
前記反応処理部位では、前記溶液層配列によって前記反応処理対象に対する反応処理及び洗浄処理が実行され、
前記測定部位では、各溶液による反応処理結果が測定される、
ことを特徴とする反応処理用構造体。
【発明の詳細な説明】
【技術分野】
【０００１】
本発明は反応処理装置及びそれに用いられる構造体に関し、特に、複数の溶液及び洗浄液によって対象物を処理する装置に関する。
【背景技術】
【０００２】
ＤＮＡ等の核酸における塩基配列を解析するための手法として、パイロシーケンスが知られている（例えば特許文献１）。かかるパイロシーケンスでは、４種類の溶液（試薬）とバッファー液としての洗浄液とが順番に利用される。具体的には、対象物としての拡散に対して４種類の溶液を循環的に利用して多段階的に反応処理が実行され、各溶液ごとの個別的な反応処理後に所定の遊離物質（例えばピロリン酸）が生じたか否かが光学的に測定される。遊離物質が生じていれば酵素反応が生じたものとして現ステップにおける塩基の種類を特定可能である。なお、各溶液を用いた反応処理後において対象物が洗浄液によって洗浄される。
【０００３】
【特許文献１】米国特許４８６３８４９号明細書
【発明の開示】
【発明が解決しようとする課題】
【０００４】
パイロシーケンスを実施する装置に対しては、溶液処理や洗浄処理を速やかに行うこと、溶液や洗浄液の消費を少なくすること、及び、構造の簡易化が要望されている。その他の処理方式においても同様の課題を指摘できる。
【０００５】
本発明の目的は、簡易な構成で溶液処理及び洗浄処理を能率的に行えるようにすることにある。
【課題を解決するための手段】
【０００６】
本発明は、少なくとも１つの基幹流路で構成され、上流側から下流側にかけて、溶液層配列生成部位、反応処理対象を有する反応処理部位及び測定部位が設定された第１流路構造と、前記第１流路構造における溶液層配列生成部位を横切る複数の溶液流路で構成される第２流路構造と、を有する構造体と、前記第１流路構造を構成する少なくとも１つの基幹流路の上流端部から洗浄液を導入する洗浄液供給手段と、前記第２流路構造を構成する複数の溶液流路の上流端部から複数の溶液を個別的に導入する溶液供給手段と、前記測定部位に設けられ、反応処理結果を測定する測定手段と、を含み、前記溶液層配列生成部位では、前記複数の溶液及び前記洗浄液の交互供給によって溶液層配列が生成され、前記反応処理部位では、前記溶液層配列によって前記反応処理対象に対する反応処理が間欠的に実行され、前記測定部位では、各溶液による反応処理結果が測定される、ことを特徴とする反応処理装置に関する。
【０００７】
上記構成によれば、構造体には第１流路構造とそれを横切るように形成された第２流路構造とが設けられる。第１流路構造は少なくとも１つの基幹流路で構成され、第２流路構造は複数の溶液（望ましくは４つの溶液）に対応した並列関係にある複数の溶液流路で構成される。第１流路構造と第２流路構造との交差部位が溶液層配列生成部位となる。ここで、各溶液流路は、基幹流路と交わり、それらの交差点で相互に空間的に連通しており、交差点に溶液が満たされている状態で洗浄液を上流側から下流側へ流せば、交差点に満たされた溶液部分が切り出されて下流側へ送り出される。複数の溶液流路は並列関係にあるので、それら全体を横切るように洗浄液を下流側へ送り出せば、複数の溶液層が間欠的に存在する溶液層配列（の一単位）が構成される。各交差点に各溶液を再び満たした上で、上記同様の送り出しを行えば、複数の単位が並んでなる溶液層配列が構成される。各交差点に弁構造を設けることなく、複数の溶液及び洗浄液の交互供給を繰り返すだけで溶液層配列を容易に形成できる。また、上記構成によれば、基幹流路内に反応部位を有するので、従来方法のように比較的大きなデットボリュームがないために溶液の置換や洗浄を確実に行え、同時に溶液や洗浄液の無駄を大幅に改善できる。更に、構造体及び装置の構成がシンプルなので、容易かつ安価に構造体及び装置を製作できる。なお、基幹流路及び各溶液流路を微細流路として構成しておけば、溶液層配列において、個々の溶液と洗浄液との間の境界面が維持され、各溶液と洗浄液とが混じり合うことはない。
【０００８】
後述の実施形態では、溶液層配列における各溶液層の長さ（基幹流路方向をＸ方向とし、それに交差する方向をＹ方向とした場合に、各溶液層のＸ方向の長さ）は各溶液流路のＸ方向の幅に相当し、溶液層配列における各洗浄液層のＸ方向の長さは溶液流路間の隙間のＸ方向の幅に相当する。つまり、交差部位である送液層配列生成部位の構造及び寸法を調整することによって、所望の送液層配列を生成することができる。測定部位における反応対象の存在幅よりも各溶液層の幅を長くしておくのが望ましい。
【０００９】
望ましくは、前記溶液層配列は、所定順序で循環的に並んだ複数の溶液層と個々の溶液層間に挿入された複数の洗浄層とで構成される。望ましくは、前記処理対象は塩基配列解析対象となる核酸であり、前記複数の溶液は塩基配列を解析するためのものである。望ましくは、上記反応処理装置は上記パイロシーケンスの実行時に利用される。
【００１０】
望ましくは、前記洗浄液供給手段及び前記溶液供給手段を制御する手段であって、前記洗浄液の供給と前記複数の溶液の供給とを交互に繰り返すことによって前記溶液層配列を生成する制御手段を含む。
【００１１】
望ましくは、前記第１流路構造は並列的に設けられた複数の基幹流路で構成され、前記溶液層配列生成部位は前記複数の基幹流路に対して前記複数の溶液流路が交差した部位である。望ましくは、前記溶液層配列生成部位における前記複数の溶液流路についてのピッチが前記溶液層配列における複数の溶液層のピッチを規定する。望ましくは、前記反応処理部位には、前記処理対象としての核酸が付着された部材を含みつつ当該部材の流下を防止する構造が形成される。
【００１２】
本発明は、処理対象としての核酸を複数の溶液で処理する場合に利用される構造体であって、少なくとも１つの基幹流路で構成され、上流側から下流側にかけて、溶液層配列生成部位、反応処理対象を有する反応処理部位及び測定部位が設定された第１流路構造と、前記第１流路構造における溶液層配列生成部位を横切る複数の溶液流路で構成される第２流路構造と、を有し、前記第１流路構造を構成する少なくとも１つの基幹流路の上流端部から洗浄液が導入され、前記第２流路構造を構成する複数の溶液流路の上流端部から複数の溶液が個別的に導入され、前記溶液層配列生成部位では、前記洗浄液の導入及び前記複数の溶液の導入が交互に繰り返され、これにより循環的に並んだ複数の溶液層と個々の溶液層間に挿入された複数の洗浄層とで構成される溶液層配列が生成され、前記反応処理部位では、前記溶液層配列によって前記反応処理対象に対する反応処理及び洗浄処理が実行され、前記測定部位では、各溶液による反応処理結果が測定される、ことを特徴とする反応処理用構造体に関する。
【発明の効果】
【００１３】
以上説明したように、本発明によれば、簡易な構成で溶液処理及び洗浄処理を能率的に行える。
【発明を実施するための最良の形態】
【００１４】
以下、本発明の好適な実施形態を図面に基づいて説明する。
【００１５】
図１には、本発明に係る反応処理装置の好適な実施形態が示されており、図１はその全体的な構成を示す概念図である。図１に示される反応処理装置１０は、ＤＮＡ等の核酸の塩基配列を解析するための装置であり、本実施形態に係る反応処理装置は特にパイロシーケンスに従って塩基配列を解析する手法において用いられるものである。ただし、パイロシーケンス以外の塩基配列解析法においても利用することが可能であり、更に塩基配列解析以外の分析において利用することも可能である。
【００１６】
反応処理装置１０は複数の微小流路が形成されたチップとしての処理プレート１２を有する。図１に示される構成において、処理プレート１２には、第１流路構造としての１つの基幹流路１４と、第２流路構造としての溶液流路群１６と、を有する。基幹流路１４は、図示されるようにＸ方向における上流端から下流端に渡って形成されている微小流路である。その上流端には導入口１４Ａが形成されており、その下流端には排出口１４Ｂが形成されている。
【００１７】
上記の溶液流路群１６は、図１に示される構成において、４つの溶液流路１８によって構成されており、それらは並列的に形成されている。具体的には、Ｘ方向に沿って形成された基幹流路１４に対して、それを横切ってＹ方向に沿って各溶液流路１８が形成されている。図１においては、基幹流路１４が直線的に形成され、また、各溶液流路１８も直線的に形成されているが、後述する交差部位２０において所定の寸法関係が成立する限りにおいて、各流路は直線的に形成しなくてもよい。各溶液流路１８の上流端には導入口１８Ａが形成されており、各溶液流路１８の下流端には排出口１８Ｂが形成されている。各流路１４，１８は処理プレート１２の内部に形成されており、それらの流路１４，１８における導入口１４Ａ，１８Ａ及び排出口１４Ｂ，１８Ｂは、処理プレート１２の上面側に形成された開口によって構成される。
【００１８】
基幹流路１４における上流側には交差部位２０が設定されており、そこから下流側に所定距離隔てられた位置に反応処理部２２が設定され、その直下部位に光学センサ２４(測定部位)が設けられている。交差部位２０は、Ｘ方向に沿って形成された基幹流路１４に対して４つの溶液流路１８が交差する４つの交差点からなるものであり、各交差点においては基幹流路１４と各溶液流路１８とが空間的に連なっている。各流路１４，１８は矩形の断面を有していてもよいし、円形の断面を有していてもよい。交差部位２０は後に説明するように溶液層配列生成部として機能する。すなわち、４つの溶液流路１８に４つの溶液が満たされた状態で、特に、４つの交差点に４つの溶液が満たされた状態で、基幹流路１４に対して洗浄液としてのバッファー液を流し込むことにより４つの交差点に存在する溶液層がＸ方向の下流側に送り出され、これによって溶液層配列の１単位が構成される。これについては後に詳述する。
【００１９】
基幹流路１４における導入口１４Ａにはチューブを介してバッファー導入ポンプ４０が接続されており、このバッファー導入ポンプ４０はバッファーとしての洗浄液を供給するためのものである。４つの溶液流路１８における４つの導入口１８Ａには４つのチューブを介して４つの溶液（試薬）導入ポンプ４２が接続されている。４つの溶液導入ポンプ４２は、それぞれ定められた溶液を供給するためのものである。パイロシーケンスの実施に当たっては、核酸の塩基配列を解析するために４種類の溶液が利用され、それらの４種類の溶液が４つの溶液導入ポンプ４２によって４つの溶液流路１８に流し込まれる。
【００２０】
バッファー導入ポンプ４０及び４つの溶液導入ポンプ４２の動作は制御部４４によって制御されており、制御部４４はパーソナルコンピュータ、シーケンサー等のコントローラによって構成される。
【００２１】
基幹流路１４の排出口１４Ｂにはチューブを介して廃液タンクが接続されており、必要に応じて廃液用のポンプが利用される。これと同様に、４つの排出口１８Ｂにも４つのチューブを介して４つの廃液タンクあるいは共用廃液タンクが接続されており、４つの溶液の排出に当たっては必要に応じて廃液ポンプが利用される。
【００２２】
次に、反応処理部２２及び光学センサ２４について説明する。反応処理部２２は、図１における拡大図３０に示されるように、反応処理対象を備えたビーズ群２６を有している。そのビーズ群２６は１つ又は複数のビーズ２８により構成され、各ビーズは反応処理対象としての核酸が付着されたビーズである。それらのビーズ２８が下流側に流れ出さないように保持構造３２が設けられており、図１に示される保持構造３２はスリット状の構造である。また、拡大図３４に示されるように、各ビーズ２８はビーズ本体３６とそれに付着された核酸３８とからなるものである。核酸３８における塩基配列において各塩基に対して所定の溶液が反応し、それによって生じた遊離基が光学的に測定される。光学センサ２４は、測定部位に配置され、それは反応処理部２２の下流側に設定されている。光学センサ２４は、上述した遊離基が生じると、その遊離基に起因する発光を検出する。
【００２３】
図２には、図１に示した構造体としての処理プレート１２の断面が示されている。処理プレート１２には上述したように基幹流路が形成されている。その両端には導入口１４Ａ及び排出口１４Ｂが設けられている。処理プレート１２は、この図２に示す例において、上側の第１プレート１２Ａと下側の第２プレート１２Ｂとを貼り合わせた構造を有し、それぞれのプレート１２Ａ，１２Ｂには予め溝構造１２Ｃ，１２Ｄが形成されている。それらの溝構造１２Ｃ，１２Ｄが互いに接合し合うことにより、図１を用いて説明した基幹流路１４及び複数の溶液流路１８が形成される。もちろん、第１プレート１２Ａ及び第２プレート１２Ｂの一方側にだけ溝構造を形成しても同様の構造体を構築することが可能である。
【００２４】
図３には、図１及び図２に示した反応処理装置における動作が概念的に示されている。(Ａ)には第１ステップの状態が示されている。すなわち、まず基幹流路１４に対して全体的に洗浄液を満たした上で、それぞれの溶液流路１８に対して所定の溶液が導入される。その状態が(Ａ)に示されている。交差部位２０における各交差点は所定の溶液が満たされた状態となる。そして、(Ｂ)に示すように、導入口１４Ａから洗浄液を送り込むと、４つの交差点に存在した４つの溶液(溶液層)がＸ方向の下流側に押し出され、これによって溶液層配列の１単位６０Ａが構成される。すなわち、その１単位６０Ａは、先頭から後尾にかけて４つの溶液層６２，６４，６６，６８を含むものであり、更に１単位６０Ａには溶液層間に介在する洗浄層も含まれる。１単位６０Ａに含まれる４つの溶液層６２，６４，６６，６８は、溶液流路群１６に供給される４つの溶液の並びに対応した並びを有している。
【００２５】
次に、(Ｃ)には第３ステップが示されており、第２ステップの実行後に、４つの溶液を４つの溶液流路に送り込むことにより４つの交差点が再び４つの溶液で満たされる。この場合において、各溶液流路１８における交差点よりも下流側に洗浄層が送り出されることになるが、そのような洗浄層は各溶液流路１８から外部へ排出ようにしてもよいし、交差点よりも下流側に留まるようにしてもよい。後者によれば溶液の消費量をより少なくできるという利点がある。ただし、図３にはそのような下流側に送り出された洗浄層については図示省略されている。
【００２６】
上述した第３ステップの実行後、(Ｄ)に示す第４ステップが実行される。すなわち、導入口１４Ａから再び洗浄液が供給され、これによって再び１単位分が下流側へ送り出される。これにより、(Ｄ)に示すように、二つの１単位６０Ａ，６０Ｂが生成されており、それら全体として溶液層配列が構成されている。このような溶液層配列を反応処理部位に流すと、先頭から間欠的に所定の溶液による溶液処理が実行されることになり、各溶液処理の合間においては洗浄処理が実行されることになる。そして、各溶液による反応処理後に生じた遊離基が光学的に測定される。(Ｅ)には第５ステップが示されており、すなわち上述した工程を上記同様に繰り返すことにより、３つの単位６０Ａ，６０Ｂ，６０Ｃが構成されている。このようなことが循環的に繰り返されて、反応処理対象に対して多段階的な溶液反応処理が実行され、すなわちパイロシーケンスを実現することが可能となる。
【００２７】
上記の動作例において各溶液層６２，６４，６６，６８のＸ方向の幅は、各溶液流路１８のＸ方向の幅に相当しており、隣接溶液層間のＸ方向の幅は、隣接する溶液流路間の幅に相当している。つまり、基幹流路１４に対して４つの溶液流路１８をどのように設けるのかによって、具体的には、交差点の間隔（ピッチ）及び交差点を横切る幅を適宜調整することにより、所望の溶液層配列を構成することが可能である。この場合において、弁を採用する必要はないので、構造を簡略化でき、また各溶液の処理量を極めて少なくできるという利点がある。従来においては、比較的大きな容器を利用して溶液反応処理や洗浄処理が行われていたが、本発明においては微小流路内で溶液反応処理や洗浄処理を行えるので効率的あるいは能率的な処理を実現できるという利点がある。溶液層配列における溶液層と洗浄層との間の境界面は微小流路内に存在しているため、溶液と洗浄液とが混じり合うことは殆どない。
【００２８】
上記構成において、４つの溶液の供給及び洗浄液の供給は交互に実行されており、その制御は図１に示した制御部４４によってなされている。もちろん、そのような制御をマニュアルで行うことも可能であるが、多段階のステップを実行する場合においてはその制御を自動化するのが望ましい。ただし、パイロシーケンス以外の他の処理方法を適用する場合には、マニュアル制御によって各液体の供給を行うことも可能である。
【００２９】
図４には、図１に示した保持構造の変形例が示されている。すなわち、図４に示す例では反応処理部２２Ａ内にビーズ群２６が保持されているが、その保持は壁４６の作用によってなされている。壁４６は基幹流路内の一部を除いた空間をせき止めているものであり、つまり、壁４６によって液体の通過が許容されつつ各ビーズ２８の流下が防止されている。もちろん、反応処理部の構造としては上述したもの以外の構造を採用することも可能である。反応処理部２２を交差部位に近づけても上述した作用と同様の作用を得られる。
【００３０】
次に、図５を用いて他の実施形態について説明する。図５には処理プレート７２が示されている。処理プレート７２には第１流路構造としての８つの基幹流路７６が形成されており、また、それを横切るように第２流路構造としての４つの溶液流路８０が形成されている。８つの基幹流路７６の上流端には共用導入口７４Ａが形成されており、８つの基幹流路７６の下流端には共有排出口７４Ｂが形成されている。各溶液流路８０にはその上流端に導入口８０Ａが形成されており、それらの下流端には共用排出口７８Ｂが形成されている。複数の導入口８０Ａはチューブ接続部材の設置スペースを確保する観点から互いに離間されており、つまり４つの溶液流路８０の上流側は分散化されている。ちなみに、各流路７６，８０の幅は例えば２００μｍであり、第１流路構造７４における基幹流路間隔は例えば２００μｍである。よって、第１流路構造７４の横幅は全体として例えば３ｍｍである。図においてはその幅がＷで表されている。第１流路構造７４には保持部位８４が設定されており、その下流側には光学的センサ８６が設けられている。各基幹流路は、溶液流路との合流位置により下流側にビーズ群を有している。光学的センサ８６は単一のセンサであって、その受光開口としてのスリット８６Ａは８つの基幹流路７６を横切る方向に広がっている。図５の処理プレートにおいて、洗浄液の導入口は基幹流路毎に設けてもよい。このような構成とすれば、基幹流路からビーズを導入する場合に、各流路に種類の異なるビーズを導入しやすくなる。
【００３１】
図６には、光学的センサ８６の具体的な構成例が示されており、フレーム８８内にはＣＣＤイメージセンサ９０、光学的フィルタ９２、レンズ９４及び絞り９６が設けられている。絞り９６はスリット８６Ａを規定するものであり、レンズ９４は集光作用を発揮するものである。フィルタ９２は分析対象となる特定波長の光を透過させるものであり、その光はＣＣＤイメージセンサ９０に到達し、電気信号に変換される。もちろん、ＣＣＤイメージセンサ以外のセンサを利用するようにしてもよい。いずれにしても、センサによって撮像されたイメージにおいて８つの基幹流路それぞれについて弁別した光学的測定を行えるよう測定部を構成するのが望ましい。
【００３２】
図７には、図５に示した処理プレート７２における動作が模式的に示されている。(Ａ)には第１ステップを実行した状態が示されている。すなわち、第１流路構造７４を構成する各基幹流路に対して洗浄液が導入されてそれら全体が洗浄液で満たされた上で、第２流路構造を構成する各溶液流路に対して所定の溶液が流され、それぞれの溶液流路が所定の溶液で満たされる。符号９８は交差部位を表している。その交差部位９８は８×４＝３２(個)の交差点よりなるものである。
【００３３】
第１ステップの実行後、(Ｂ)に示すように第２ステップが実行される。すなわち、８つの基幹流路における上流側から洗浄液が送り込まれる。これによって、交差部位９８に２次元的に存在していた複数の溶液層がＸ方向の下流側に押し出され、その結果、溶液層配列１００が構成される。この溶液層配列１００は図３の(Ｂ)等に示した１単位６０ＡをＹ方向に複数並べたものに相当する。すなわち、図５に示した実施形態によれば、８つの対象物を同時進行で処理することが可能である。(Ｂ)に示した第２ステップの実行後、再び(Ａ)に示したように４つの溶液が各交差点に満たされ、再び８つの基幹流路に対して洗浄液が送り込まれると、図７の符号１００に示したものがさらにもう一つ生成され、このような工程が順次繰り返されると、８つの対象物に対して、８つのパイロシーケンスを並列的に適用することが可能となる。
【図面の簡単な説明】
【００３４】
【図１】本発明に係る反応処理装置の好適な実施形態を示す概念図である。
【図２】図１に示した処理プレートの断面図である。
【図３】図１に示した装置の動作例を示す説明図である。
【図４】反応処理部の他の構成例を示す図である。
【図５】他の実施形態に係る処理プレートの構成を表す概念図である。
【図６】光学的センサの具体例を説明するための図である。
【図７】図５に示した処理プレート上の動作を説明するための説明図である。
【符号の説明】
【００３５】
１０  反応処理装置、１２  処理プレート、１４  基幹流路(第１流路構造)、１６  溶液流路群(第２流路構造)、２０  交差部位(溶液層配列生成部)、２２  反応処理部、２４  光学的センサ（測定部位）。
【図１】
2008286665.tif 000003
【図２】
2008286665.tif 000004
【図３】
2008286665.tif 000005
【図４】
2008286665.tif 000006
【図５】
2008286665.tif 000007
【図６】
2008286665.tif 000008
【図７】
2008286665.tif 000009